(57)【要約】【課題】電磁弁によって止水を行うときの吐水ヘッドからの異音発生を抑制することのできる吐出装置を提供する。【解決手段】吐水ヘッド２への給水を電磁弁で制御する吐水装置において、吐水ヘッド２が有するヘッド流路３８の下流端部に、絞り部４０を設けた吐水部材１４を配する。この絞り部４０は、吐水部材１４の吐水流路２６において吐水口２８よりも上流側に位置し、且つ、吐水口２８よりも小径である。絞り部４０が位置することによって、止水時の異音発生を抑えることができる。【選択図】図１
2014114578.tif 000002
【特許請求の範囲】
【請求項１】
吐水ヘッドと、前記吐水ヘッドへの給水を制御する電磁弁とを備える吐水装置であって、
前記吐水ヘッドは、前記電磁弁を通じて給水がなされるヘッド流路と、前記ヘッド流路の下流端部を形成する吐水部材とを有し、
前記吐水部材は、貫通形成される吐水流路と、この吐水流路の下流端に開口する吐水口と、止水時の異音発生を抑える異音抑制構造とを有し、
前記異音抑制構造は、前記吐水流路において前記吐水口よりも上流側に位置し且つ前記吐水口よりも小径の絞り部から成ることを特徴とする吐水装置。
【請求項２】
前記絞り部は、前記吐水流路の軸方向に沿って、前記吐水口から漸次小径となるように形成されることを特徴とする請求項１に記載の吐水装置。
【請求項３】
前記異音抑制構造は、前記吐水流路中に配置されるメッシュ部をさらに有することを特徴とする請求項１又は２に記載の吐水装置。
【発明の詳細な説明】
【技術分野】
【０００１】
本発明は、吐水ヘッドへの給水を電磁弁によって制御する吐水装置に関する。
【背景技術】
【０００２】
従来、吐水ヘッドと物体検知センサとを備え、物体検知センサでの物体検知により吐水の開始や停止を行う吐水装置が知られている。このような吐水装置においては、吐水ヘッドへの給水を制御する弁として、電磁弁が好適に用いられる（特許文献１等参照）。
【先行技術文献】
【特許文献】
【０００３】
【特許文献１】特開２０１２−２０７３６８号公報
【発明の概要】
【発明が解決しようとする課題】
【０００４】
上述した従来の吐水装置においては、電磁弁によって止水を行うときに、吐水ヘッドから異音が発生しやすいという問題がある。
【０００５】
本発明は前記問題点に鑑みて発明したものであって、電磁弁によって止水を行うときに吐水ヘッドから異音が発生することを、効果的に抑制することのできる吐出装置を提供することを、課題とする。
【課題を解決するための手段】
【０００６】
前記課題を解決するために、本発明を、下記構成を備えた吐水装置とする。
【０００７】
本発明は、吐水ヘッドと、前記吐水ヘッドへの給水を制御する電磁弁とを備える吐水装置であって、前記吐水ヘッドは、前記電磁弁を通じて給水がなされるヘッド流路と、前記ヘッド流路の下流端部を形成する吐水部材とを有し、前記吐水部材は、貫通形成される吐水流路と、この吐水流路の下流端に開口する吐水口と、止水時の異音発生を抑える異音抑制構造とを有し、前記異音抑制構造は、前記吐水流路において前記吐水口よりも上流側に位置し且つ前記吐水口よりも小径の絞り部から成る。
【０００８】
本発明において、前記絞り部は、前記吐水流路の軸方向に沿って、前記吐水口から漸次小径となるように形成されることが好ましい。
【０００９】
また、前記異音抑制構造は、前記吐水流路中に配置されるメッシュ部をさらに有することも好ましい。
【発明の効果】
【００１０】
本発明は、電磁弁によって止水を行うときに吐水ヘッドから異音が発生することを、効果的に抑制することができるという効果を奏する。
【図面の簡単な説明】
【００１１】
【図１】本発明の第１実施形態の吐水装置が備える吐水ヘッドの断面図である。
【図２】図１の要部拡大図である。
【図３】本発明の第２実施形態の吐水装置が備える吐水ヘッドの要部断面図である。
【図４】本発明の第３実施形態の吐水装置が備える吐水ヘッドの要部断面図である。
【図５】同上の吐水ヘッドの変形例を示す要部断面図である。
【図６】本発明の第４実施形態の吐水装置が備える吐水ヘッドの要部断面図である。
【発明を実施するための形態】
【００１２】
本発明を、添付図面に示す実施形態に基づいて説明する。
【００１３】
図１には、本発明の第１実施形態の吐水装置が備える吐水ヘッド２を示している。この吐水ヘッド２は、図示略の吐水装置本体に装着されるものであり、吐水装置本体から供給される水を、吐水ヘッド２の下流端である吐水口２８から外部空間にむけて吐出する。吐出装置本体は、物体検知センサでの物体検知に基づいて、吐水ヘッド２への給水を電磁弁で制御する。これらは公知の構造であるから、本明細書では詳しい説明を省略する。
【００１４】
以下においては、まず、図１に示す吐水ヘッド２の全体的な構造について説明する。この吐水ヘッド２は、シャワー水と整水とを切り替える機能を備えたシャワーヘッドである。
【００１５】
吐水ヘッド２は、給水菅４を接続した本体筒部６と、この本体筒部６の外周を覆う筒部カバー８とを備える。本体筒部６内の流路には、第一切替部材１０と第二切替部材１２と吐水部材１４とが、上流側から下流側へとこの順に配置される。
【００１６】
筒型をなす第一切替部材１０の下流端部には、底壁部１６を形成しており、この底壁部１６には複数の通水孔１８を貫通させている。
【００１７】
同じく筒型をなす第二切替部材１２の上流端部には、複数の整水用孔２０と、図示略のシャワー水用連通部とを形成している。第二切替部材１２は、その上流端部を、第一切替部材１０の下流端部に対して回動自在となるように嵌め込んでいる。第二切替部材１２を回動させることにより、整水モードとシャワーモードとを、自在に切替えることができる。
【００１８】
ここでの整水モードは、整水用孔２０が通水孔１８と連通し且つシャワー水用連通部が通水孔１８と非連通となるモードである。シャワーモードは、シャワー水用連通部が通水孔１８と連通し且つ整水用孔２０が通水孔１８と非連通になるモードである。
【００１９】
第一切替部材１０の下流部と、第二切替部材１２とは、筒状であるブッシュ部材２２内に嵌め込まれる。ブッシュ部材２２の上流部には、第一切替部材１０の下流部が嵌め込まれ、ブッシュ部材２２の下流部には、第二切替部材１２が回動自在に嵌め込まれる。このとき、第二切替部材１２の外周面とブッシュ部材２２の内周面との間には、連通路２４が形成される。連通路２４は、シャワー水用連通部と連通する通路である。
【００２０】
ブッシュ部材２２は、本体筒部６の内面に係合して嵌め込まれる。このブッシュ部材２２を介して、第一切替部材１０は本体筒部６に対して回転不能に固定される。
【００２１】
筒状である吐水部材１４の内部には、整水用の吐水流路２６を貫通形成している。この吐水流路２６の下流端開口が、整水用の吐水口２８となる。
【００２２】
吐水部材１４の外周には、外筒部３０が被せられる。外筒部３０は、リング状の内鍔部３２を有し、この内鍔部３２に多数のシャワー水用吐水孔３４を形成している。この内鍔部３２の中央開口に、吐水部材１４の下流端部が嵌め込まれて位置する。
【００２３】
吐水部材１４は第二切替部材１２に係合され、外筒部３０は、その上流端部がブッシュ部材２２の下流端部に回動自在に嵌め込まれる。外筒部３０と吐水部材１４と第二切替部材１２は一体に結合され、本体筒部６や第一切替部材１０に対して一体に回動する。
【００２４】
ここで、外筒部３０と吐水部材１４との間には、連通路２４に連通するシャワー水用流路３６が形成される。このシャワー水用流路３６の下流端に、外筒部３０に設けたシャワー水用吐水孔３４が位置する。また、吐水部材１４内にある整水用の吐水流路２６が、第二切替部材１２に設けた整水用孔２０と連通する。
【００２５】
上記構成を備える吐水ヘッド２では、外筒部３０を操作して、吐水部材１４と一体に第二切替部材１２を回動させることで、上述したように整水モードとシャワーモードとを選択することができる。図１中には、整水モードのときの吐水ヘッド２を示している。図中の矢印は、整水モードにある吐水ヘッド２中の水の流れである。この吐水ヘッド２の下流側の部分を、図２に拡大して示している。
【００２６】
以下においては、本実施形態の吐水ヘッド２が備える異音抑制構造について、図１や図２に基づいて説明する。
【００２７】
まず、吐水ヘッド２からの異音発生の原因は、電磁弁によって水流が急激に止められることにより、吐水ヘッド２内の水と空気の境界部分にて、水に空気が巻き込まれるためと推察される。ここで巻き込まれる空気は、止水時に、水と入れ替わるように吐水口２８から導入される。
【００２８】
そこで、本実施形態では異音抑制構造として、整水モードのときに吐水ヘッド２内に形成される一連のヘッド流路３８のうち、このヘッド流路３８の下流端部を形成する吐水部材１４に、絞り部４０を設けている。なお、ここでのヘッド流路３８は、電磁弁を介して吐水ヘッド２に供給された水が、本体筒部６、第一切替部材１０、第二切替部材１２及び吐水部材１４の各内部流路を経て、外部に吐出される流路である。
【００２９】
絞り部４０は、吐水部材１４の上流側半部４２の内径を、吐水部材１４の下流側半部４４の内径よりも小さく設定することで形成している。上流側半部４２は、その全体にわたって内径を同一又は略同一に設けている。下流側半部４４は、上流側にいくほど徐々に内径が減少するように設けている。
【００３０】
絞り部４０は、吐水部材１４に貫通形成される吐水流路２６において吐水口２８より上流側に位置し、且つ、吐水口２８よりも小径に形成されることで、止水時に吐水口２８から流入して水に巻き込まれる空気の勢いを減少させ、異音発生を抑えるものである。しかも、絞り部４０は吐水口２８近傍に位置するので、ヘッド流路３８全体の圧力損失は極力抑えられる。つまり、本実施形態の異音抑制構造によれば、ヘッド流路３８全体の圧力損失を極力抑えたうえで、吐水ヘッド２からの異音発生は効果的に抑制することができる。
【００３１】
次に、本実施形態の第２実施形態の吐水装置について説明する。上述した第１実施形態と同様の構成については同一符号を付して説明を省略し、第１実施形態とは異なる特徴的な構成について以下に詳述する。
【００３２】
図３には、本実施形態の吐水装置が備える吐水ヘッド２の要部を示している。この吐水ヘッド２に配置する吐水部材１４においては、吐水部材１４の上流部分５０と下流部分５２を、両部分５０，５２間に位置する中間部分５４よりも大径に形成することで、絞り部４０を形成している。
【００３３】
上流部分５０は、下流側にいくほど徐々に内径が減少するように設け、下流部分５２は、上流側にいくほど徐々に内径が減少するように設けている。中間部分５４は、吐水部材１４全体で最も内径の小さな部分であって、上流部分５０の上流端開口よりも内径が小さく、且つ、下流部分５２の下流端開口である吐水口２８よりも内径が小さくなるように設けている。
【００３４】
本実施形態の絞り部４０も、吐水流路２６において吐水口２８より上流側に位置し、且つ、吐水口２８より小径に形成されるものであるから、止水時に吐水口２８から流入して水に巻き込まれる空気の勢いが絞り部４０で減じられ、これにより異音発生が抑えられる。しかも、小径の絞り部４０は吐水口２８近傍に位置し、この吐水口２８から絞り部４０の最小径部分までが漸次小径化してゆき、且つ、吐水部材１４の上流端開口から絞り部４０の最小径部分までが漸次小径化してゆく構造であるから、ヘッド流路３８全体の圧力損失を極力抑えることができる。なお、中間部分５４を設けずに上流部分５０と下流部分５２で吐水流路２６を形成してもよい。この場合、上流部分５０と下流部分５２の境界が、吐水流路２６全体の最小径部分となる。
【００３５】
次に、本実施形態の第３実施形態の吐水装置について説明する。上述した第１実施形態と同様の構成については同一符号を付して説明を省略し、第１実施形態とは異なる特徴的な構成について以下に詳述する。
【００３６】
図４には、本実施形態の吐水装置が備える吐水ヘッド２の要部を示している。この吐水ヘッド２に配置する吐水部材１４においては、外部空間にむけて開口する最下流端の吐水口２８に、通水用の貫通孔を多数有するメッシュ部６０を配置している。
【００３７】
このメッシュ部６０が吐水口２８に位置することで、止水時に吐水口２８から流入して水に巻き込まれる空気の勢いが減じられ、異音発生が抑えられる。
【００３８】
つまり、本実施形態の吐水ヘッド２においては、吐水部材１４の吐水流路２６に設けた絞り部４０と、この吐水流路２６中に配置したメッシュ部６０とを用いて異音抑制構造を形成している。そのため、止水時の吐水ヘッド２からの異音発生が、より効果的に抑えられる。
【００３９】
メッシュ部６０の配置箇所は吐水口２８に限定されず、吐水部材１４の吐水流路２６内の適宜箇所が選択可能である。図５には、吐水口２８の上流に位置する絞り部４０の最小径部分にメッシュ部６０を配置した例を示している。この例では、吐水流路２６のうち上流側半部４２と下流側半部４４の境界部分に、メッシュ部６０を配置している。
【００４０】
なお、上述した第２実施形態の吐水ヘッド２において、同様のメッシュ部６０を配置してもよいことは勿論である。この場合、例えば図３に示す吐水流路２６の吐水口２８や下流部分５２、中間部分５４にメッシュ部６０を配置する。
【００４１】
次に、本実施形態の第４実施形態の吐水装置について説明する。上述した第１実施形態と同様の構成については同一符号を付して説明を省略し、第１実施形態とは異なる特徴的な構成について以下に詳述する。
【００４２】
図６には、本実施形態の吐水装置が備える吐水ヘッド２の要部を示している。この吐水ヘッド２に配置する吐水部材１４では、吐水流路２６全体を同一又は略同一の内径に設定し、且つ、この吐水流路２６の内周面の一部に突起７０を設けている。この突起７０によって、吐水流路２６の軸方向の一部分が、吐水口２８よりも上流側に位置し且つ吐水口２８よりも小径の絞り部４０となる。突起７０は、吐水口２８から流入する空気の勢いを減じるものであればよく、螺旋状に形成してもよいし、位置をずらした複数個所に円弧状に形成してもよいし、全周にわたってリング状に形成してもよい。
【００４３】
以上、説明したように、第１乃至第４実施形態の吐水装置は、吐水ヘッド２と、吐水ヘッド２への給水を制御する電磁弁とを備える吐水装置である。吐水ヘッド２は、電磁弁を通じて給水がなされるヘッド流路３８と、ヘッド流路３８の下流端部を形成する吐水部材１４とを有する。吐水部材１４は、貫通形成される吐水流路２６と、この吐水流路２６の下流端に開口する吐水口２８と、止水時の異音発生を抑える異音抑制構造とを有する。この異音抑制構造は、吐水流路２６において吐水口２８よりも上流側に位置し且つ吐水口２８よりも小径の絞り部４０から成る。
【００４４】
したがって、第１乃至第４実施形態の吐水装置によれば、電磁弁によって急激に止水され、吐水口２８から水と入れ替わるように空気が勢いよく導入されるときであっても、絞り部４０が位置することで、水に巻き込まれる空気の勢いを減じることができる。これにより、止水時の異音発生が抑制される。しかも、絞り部４０は、ヘッド流路３８全体のうち下流端部に位置する吐水部材１４内にあるので、ヘッド流路３８全体の圧力損失が抑えられる。
【００４５】
また、第１乃至第４実施形態の吐水装置において、絞り部４０は、吐水流路２６の軸方向に沿って、吐水口２８から漸次小径となるように形成されている。これにより、ヘッド流路３８全体の圧力損失が、より効果的に抑えられる。
【００４６】
また、第３実施形態の吐水装置において異音抑制構造は、吐水流路２６中に配置されるメッシュ部６０をさらに有する。メッシュ部６０が位置することで、水に巻き込まれる空気の勢いを、更に効果的に減じることができ、これにより、止水時の異音発生が一層抑制される。
【００４７】
以上、本発明を添付図面に示す実施形態に基づいて説明したが、本発明は前記各例の実施形態に限定されるものではなく、本発明の意図する範囲内であれば、各例において適宜の設計変更を行うことや、各例の構成を適宜組み合わせて適用することが可能である。
【符号の説明】
【００４８】
２  吐水ヘッド
２６  吐水流路
２８  吐水口
４０  絞り部
６０  メッシュ部
【図１】
2014114578.tif 000003
【図２】
2014114578.tif 000004
【図３】
2014114578.tif 000005
【図４】
2014114578.tif 000006
【図５】
2014114578.tif 000007
【図６】
2014114578.tif 000008